(57)【特許請求の範囲】
【請求項１】
メカニカルファスナーのフック材である長尺フック材の裏面と、前記長尺フック材よりも幅広の長尺基材シートとを長手方向を揃えて重ね合わせて長尺シート積層体を得る工程と、
得られた長尺シート積層体の前記長尺フック材の幅方向両端部および前記長尺フック材の幅方向中央部を同時に押圧し、圧着する工程を含む止着テープの製造方法。
【請求項２】
前記長尺フック材の幅方向両端部および前記長尺フック材の幅方向中央部を、それぞれの部位に対応する位置に凸部を有するパターンロールにより同時に押圧し、圧着する請求項１に記載の止着テープの製造方法。
【請求項３】
メカニカルファスナーのフック材である長尺フック材の裏面と、前記長尺フック材よりも幅広の長尺基材シートとを長手方向を揃えて重ね合わせて得られた長尺シート積層体の前記長尺フック材の幅方向両端部および前記長尺フック材の幅方向両端部の間の少なくとも一部を押圧し、圧着する工程に使用されるパターンロールを備えている止着テープ製造装置であって、
筒状周面の両端部であって前記長尺フック材の幅方向両端部に対応する位置および軸方向中央付近であって前記長尺フック材の幅方向中央部に対応する位置に凸部が形成されているパターンロールを備えている止着テープ製造装置。
【請求項４】
前記パターンロールが軸方向中央で２分割可能に形成されている請求項３に記載の止着テープ製造装置。
【発明の詳細な説明】
【技術分野】
【０００１】
本発明は、止着テープの製造方法及び止着テープの製造装置に関する。更に詳しくは、フック材が止着テープの基材に接合されている中央部付近における、フック材の止着テープ基材からの部分剥離が生じ難い止着テープの製造方法等に関する。
【背景技術】
【０００２】
一般に、テープ型おむつは、例えば、図１２に示すテープ型おむつ１５０のように、吸収体２２と、吸収体２２の表面を被覆するように配置され、少なくとも一部が液透過性材料からなるトップシート１８と、吸収体２２の裏面を被覆するように配置され、液不透過性材料からなるバックシート２０とを備えるとともに、前身頃２、股下部４及び後身頃６の各部から構成されており、後身頃６の左右の各側縁６ａ，６ｂから延出するように配置され、前身頃２と後身頃６とを固定するための止着テープ１１０を更に備えている（例えば、特許文献１〜３参照）。
【０００３】
このようなテープ型おむつ１５０によれば、着用者の排泄物はトップシート１８の液透過性の部分（図中ではセンターシート１８ａ）を透過して吸収体２２に吸収されるとともに、通常、液不透過性の材料で構成されるバックシート２０によって外部への漏洩が防止され、排泄物をおむつ内部に保持することができる。また、止着テープ１１０によっておむつの前身頃２と後身頃６とを相互に固定することで、着用者に容易に装着させることができるという利点をも有するものである。
【０００４】
ところで、従来、テープ型おむつのファスニングシステムとしては、粘着剤の粘着力により固定を行う粘着ファスナーが汎用されていたが、近年では、凸部材（フック材）と凹部材（ループ材）の機械的結合により固定を行うメカニカルファスナー（面状ファスナーとも称される）への移行が進行しつつある。
【０００５】
このような止着テープは、図１３に示すように、上記したメカニカルファスナーのフック材１４４を、基材１４８の表面に付設させることによって形成されている。フック材の付設方法については、例えば、フック材の裏面に接着剤を塗布して接合する方法、又は、基材として、熱可塑性の樹脂フィルムで表面を被覆した基材を用い、上記した接着剤と併用して、フック材の側縁部を一定の幅でヒートシールして基材の表面に接合する方法が用いられていた。図１３においては、フック材１４４のそれぞれの側縁部１４４ａを、フック材１４４の表面側から基材１４８側に向けて帯状に加熱押圧することによってヒートシールした例を示している。
【０００６】
【特許文献１】特開２００４−２０１８９４号公報
【特許文献２】特開２００５−３１９３１９号公報
【特許文献３】特開２００５−２７９００５号公報
【発明の開示】
【発明が解決しようとする課題】
【０００７】
しかしながら、特許文献１及び２に示すような、例えば、フック材の側縁部をヒートシールして基材に付設させた場合には、フック材が止着テープの基材に接合されている中央部付近における、フック材の止着テープ基材からの部分剥離が生じてしまうことがあり、止着テープの止着力が低下してしまうという問題があった。
【０００８】
このようにフック材の止着テープ基材からの部分剥離が生じた止着テープをテープ型おむつ等に用いた場合には、おむつを固定する止着テープが外れ易くなってしまったり、装着感が悪くなってしまったりする。
【０００９】
本発明は、このような従来技術の課題を解決するためになされたものであり、フック材が止着テープの基材に接合されている中央部付近における、フック材の止着テープ基材からの部分剥離が生じ難く、おむつの装着感を向上させることが可能な止着テープの製造方法等を提供するものである。
【課題を解決するための手段】
【００１０】
本発明者は、前記のような従来技術の課題を解決するために鋭意検討した結果、フック材を基材に付設する際に、フック材の両端の圧着部の中央部にも圧着部を形成することによって、上記課題が解決されることに想到し、本発明を完成させた。具体的には、本発明により、以下の止着テープの製造方法及び止着テープの製造装置が提供される。
【００１１】
［１］  メカニカルファスナーのフック材である長尺フック材の裏面と、前記長尺フック材よりも幅広の長尺基材シートとを長手方向を揃えて重ね合わせて長尺シート積層体を得る工程と、得られた長尺シート積層体の前記長尺フック材の幅方向両端部および前記長尺フック材の幅方向中央部を同時に押圧し、圧着する工程を含む止着テープの製造方法。
【００１４】
［２］  前記長尺フック材の幅方向両端部および前記長尺フック材の幅方向中央部を、それぞれの部位に対応する位置に凸部を有するパターンロールにより同時に押圧し、圧着する上記［１］に記載の止着テープの製造方法。
【００１５】
［３］  メカニカルファスナーのフック材である長尺フック材の裏面と、前記長尺フック材よりも幅広の長尺基材シートとを長手方向を揃えて重ね合わせて得られた長尺シート積層体の前記長尺フック材の幅方向両端部および前記長尺フック材の幅方向両端部の間の少なくとも一部を押圧し、圧着する工程に使用されるパターンロールを備えている止着テープ製造装置であって、筒状周面の両端部であって前記長尺フック材の幅方向両端部に対応する位置および軸方向中央付近であって前記長尺フック材の幅方向中央部に対応する位置に凸部が形成されているパターンロールを備えている止着テープ製造装置。
【００１６】
［４］  前記パターンロールが軸方向中央で２分割可能に形成されている前記［３］に記載の止着テープ製造装置。
【発明の効果】
【００２０】
止着テープにおいて、フック材の両端部を基材に圧着する場合には、強く押すと材料が中央方向に寄り、中央部分が盛り上がる。その結果、エンボス部分がずれたりしわが入ったりして不安定になり、圧着強度も下がるという問題がある。しかしながら、本発明の止着テープの製造方法においては、両端部の間の少なくとも一部を押すことで、このようなトラブルを抑え、安定した生産が可能になる。
【００２１】
本発明の止着テープの製造方法により製造された止着テープは、フック材が止着テープの基材に接合されている中央部付近における、フック材の止着テープ基材からの部分剥離が生じ難く、おむつの前身頃と後身頃とを固定するために用いられた際には、おむつの装着感を向上させることができる。また、本発明の方法によって得られるテープ型おむつは、前記止着テープを備えたものであるため、止着力が高く、また、おむつを繰り返し長期間使用した場合や、着用者が寝返りをうつ等の動作を行った際にも、良好な装着感を実現することができる。
【発明を実施するための最良の形態】
【００２２】
以下、本発明の止着テープの製造方法及び止着テープの製造装置を実施するための最良の形態について、具体的に説明する。但し、本発明はその発明特定事項を備える止着テープの製造方法及び止着テープの製造装置を広く包含するものであり、以下の実施形態に限定されるものではない。
【００２３】
なお、本明細書中において「フック材」とは、メカニカルファスナー（面状ファスナーとも称される）の凸部材であり、凹部材であるループ材との機械的結合により固定を行うことができるものである。このフック材は基材の表面に付設される。「フック材」としては、例えば、表面に多数の突起（鉤状、きのこ状、錨状等）が形成されたものが用いられる。
【００２４】
「基材」とは、一方の端部付近にフック材が付設され、且つ他方の端部が、例えば使い捨ておむつの後身頃の左右の各側縁に固定されることによって、止着テープの本体として機能するものである。
【００２５】
「テープ型おむつ」とは、図１０に示すテープ型おむつ１のように、吸収体２２と、少なくとも一部が液透過性材料からなるトップシート１８と、液不透過性材料からなるバックシート２０とを備えるとともに、前身頃２、股下部４及び後身頃６の各部から構成されており、後身頃６の左右の各側縁６ａ，６ｂから延出するように配置され、後身頃６を前身頃２に対して固定するための止着テープ１０を更に備えた使い捨ておむつを意味するものとする。
【００２６】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２７】
［１］止着テープの製造方法：
本発明の止着テープの製造方法の一の実施形態について説明する。本発明の止着テープの製造方法は、メカニカルファスナーのフック材である長尺フック材の裏面と、前記長尺フック材よりも幅広の長尺基材シートとを長手方向を揃えて重ね合わせて長尺シート積層体を得る工程と、得られた長尺シート積層体の前記長尺フック材の幅方向両端部および前記長尺フック材の幅方向中央部を同時に押圧し、圧着する工程を含むものである。ここで、長尺フック材と長尺基材シートとを長手方向を揃えて重ね合わせるとは、長尺フック材と長尺基材シートとがずれないように両者の長手方向を平行を保ちつつ重ね合わせることを指し、両者の幅方向の一端を揃えて重ね合わせる場合や両者の幅方向中心線を揃えて重ね合わせる場合等が含まれる。
【００２８】
このように構成することによって、止着テープを簡便且つ低コストに製造することができる。
【００２９】
以下、図３に示す止着テープ製造装置を用いて止着テープを製造する例について、各工程毎に更に具体的に説明する。ここで、図３は、本発明の止着テープの製造方法に用いられる止着テープ製造装置の構成を模式的に示す説明図であり、図４は、図３に示す止着テープ製造装置のＢに示す部分（シート押圧部近傍）を拡大して示す一部概略斜視図である。
【００３０】
［１−１］シート積層工程：
前記止着テープを製造する際には、まず、図３に示すように、長尺基材シート７８を用意し、この長尺基材シート７８の一方の面に、長尺基材シート７８の長手方向に沿って帯状の長尺フック材７４を載置して長尺シート積層体７１を得る。
【００３１】
長尺シート積層体７１を成形する場合には、図３に示すように、長尺基材シート７８と長尺フック材７４とを予め接着剤９２によって接合又は、仮接合することが好ましい。図３に示す止着テープ製造装置９０においては、接着剤塗布手段９４によって、長尺フック材７４の裏面に接着剤９２を塗布し、接着剤９２が塗布された裏面を長尺基材シート７８に重ね合わせて長尺シート積層体７１を形成している。
【００３２】
［１−２］圧着工程：
次に、図３および図４に示すように、得られた長尺シート積層体７１の長尺フック材７４の両側縁部７４ａを、長尺フック材７４の表面側から長尺基材シート７８側に向けて所定の幅で押圧して圧着し、凹部８０を形成する（圧着工程）。
【００３３】
上記した凹部８０は、例えば、図１および図２に示すような、長尺フック材７４の両側縁部７４ａの位置に対応した凸部９９と中央凹部８１の位置に対応した中央凸部１０１が形成されたパターンロール９８を用いて形成することができる。ここで、図１は、凹部の形成に用いられるパターンロールの構成を模式的に示す平面図であり、図２は、図１に示すパターンロールのＣに示す部分を拡大して示す一部平面図である。
【００３４】
このように構成することによって、長尺フック材７４の両側縁部７４ａの凹部８０と、長手方向中央部分の中央凹部８１とを同時に形成することができる。ここで、凹部は、基本的に、フック材が圧着により押し潰され、止着力を喪失している。
【００３５】
なお、圧着工程において使用するパターンロール９８が、上記したように凸部９９と中央凸部１０１とを有する場合において、凸部９９と中央凸部１０１との間の非突出部分、及び、中央凸部１０１が、凸部９９に平行に二列以上の突出部分を有するときには、これらの中央凸部１０１の相互間の非突出部分によって、止着力を喪失していない止着領域を確保することができる。
【００３６】
なお、このパターンロール９８は、中央部分で分割され、両側の凸部９９の間隔を調整可能に構成されていることが好ましい。このように構成することによって、長尺フック材の幅に合わせて、パターンロール９８の幅を調整することができ、長尺フック材に形成する押圧部位置の微調整や、幅の異なる長尺フック材に応じて、凸部９９の位置を調節することが可能となる。なお、このパターンロール９８の中央凸部１０１は省略することも可能である。この場合には、目的とする止着テープの中央付近の圧着部に対応する位置に凸部を備えた第二のパターンロールによる圧着工程を前記パターンロール９８による圧着工程の前または後に行うことが必要となる。
【００３７】
なお、図３及び図４に示すように、圧着工程においては、長尺基材シート７８の裏面側を押圧するロールとして、長尺基材シート７８との接触面が平坦なプレーンロール１００を用いることが好ましい。
【００３８】
圧着工程において長尺基材シート７８と長尺フック材７４との接合を行う場合には、パターンロール９８とプレーンロール１００とを加熱させて、長尺基材シート７８と長尺フック材７４とヒートシールする。
【００３９】
一方、長尺基材シート７８と長尺フック材７４との接合が既に行われている場合には、パターンロール９８とプレーンロール１００とを必ずしも加熱させる必要はなく、単にパターンロール９８によって長尺フック材７４の両側縁部７４ａを押圧して圧着することにより両者の接合を強化して所定の繰り返しパターンの凹部８０を形成することもできる。
【００４０】
また、この圧着工程においては、パターンロール９８の凸部９９を、突出高さの高い高凸部９９ａと、高凸部９９ａよりも突出高さの低い低凸部９９ｂとが、所定の繰り返しパターンを有するように配列して構成しても良い。
【００４１】
このようなパターンロール９８は、その両側に上記凸部９９が形成され、パターンロール９８のロール面の中央部分の少なくとも一部には突出部分（凸部）が形成されていない。この突出部分が形成されていない領域では、長尺フック材７４を構成するピンの押し潰しが行われないため、長尺フック材７４の中央部分に止着力を喪失していない止着領域を確保することができる。
【００４２】
また、本発明の製造方法においては、例えば、図５に示すように、超音波溶着用の超音波ホーン９６とパターンロール９８とからなり、パターンロール９８の押圧面に、深凹部に対応した高凸部と、浅凹部に対応した低凸部とから構成された凸部が形成された押圧手段９５によって、凹部８０の形成を行ってもよい。ここで、図５は、本発明の止着テープの製造方法に用いられる止着テープ製造装置の他の構成を模式的に示す説明図である。図５においては、超音波ホーン９６として固定式のプレーンのものを図示したが、これに限られず、回転可能なプレーンとしても良い。
【００４５】
［１−３］シート切断工程：
次に、凹部を形成した長尺シート積層体を、所定の幅で切り離すことにより複数の止着テープを得る（止着テープ切離工程）。上記のような方法によれば、多数の止着テープを簡便に効率よく製造することが可能となる。
【００４６】
この止着テープ切離工程は、例えば、図４に示すように、長尺シート積層体７１を、切断の軌跡が長尺シート積層体７１の長手方向に沿ってＳ字カーブを描くように切断して２枚の止着テープ中間体７２を得る。なお、このシート切断工程においては、上記切断の軌跡が、長尺フック材７４を幅方向に跨ぐようにＳ字状に切断し、各止着テープ中間体７２のＳ字カーブ状に形成された山部側に、凹部８０を有するフック材が、それぞれ配置されることとなる。
【００４７】
長尺シート積層体７１の切断は連続的な形状に切断する限り特に制限はないが、通常は、図４に示すように、その軌跡が連続的なＳ字状、即ち、周期的な波型となるように切断することが好ましい。これにより、止着テープを一時に多数得ることが可能となる。
【００４８】
［１−４］止着テープ切離工程：
次に、各止着テープ中間体のＳ字カーブ状に形成された側縁の谷部と直線状に形成された側縁との間を切り離すことによって、複数の止着テープを得る。上記のような方法によれば、多数の止着テープを簡便に効率よく製造することが可能となる。
【００４９】
具体的には、図６に示すように、各止着テープ中間体７２のＳ字カーブ状に形成された側縁の谷部１０２と直線状に形成された側縁１０４との間を切り離すことによって、複数の止着テープ７０を得る。図示の例では、各止着テープ中間体７２のＳ字カーブ状に形成された側縁の谷部１０２と直線状に形成された側縁１０４との間を、側縁１０４と直交する方向に切り離すことによって、複数の止着テープ１０を得ている。
【００５０】
このように止着テープ中間体を切り離すことによって、複数の止着テープを得ることができる。但し、この「切り離し」に先立って、フック材及び止着テープの仮止めを行っておくことが好ましい。自由端を有する止着テープが遊動している状態であると、連続的な生産を行う際に、その自由端が製造設備に引っかかる等の不具合の原因となるおそれがあるからである。
【００５１】
例えば、止着テープ中間体を、フック材が付設された部位と直線状に形成された側縁との間においてフック材を内側とするように折り返し、フック材を長尺基材シートの表面に仮止めをした後、Ｓ字カーブ状に形成された側縁の谷部と直線状に形成された側縁との間を切り離すことが好ましい。Ｓ字カーブ状に形成された側縁の谷部と直線状に形成された側縁との間を切り離す前に仮止めをすることにより、複数の止着テープについての折り返し作業を一時にかつ連続的に行うことができ、「切り離し」の後に前記折り返し作業を行なった場合と比較して、安定的かつ効率的に、前記折り返し作業を行うことができる。
【００５２】
図６に示す製造方法は、止着テープ中間体７２を、フック材が付設された部位と直線状に形成された側縁１０４との間においてフック材８４を内側とするように折り返し、フック材８４を長尺基材シート７８の表面に仮止めをした後（仮止め部８６）、Ｓ字カーブ状に形成された側縁の谷部１０２と直線状に形成された側縁１０４との間を切り離した例である。
【００５３】
［２］止着テープ製造装置：
次に、本発明の止着テープ製造装置の一の実施形態について説明する。本発明の止着テープ製造装置は、止着テープの製造方法に用いられる製造装置である。本発明の製造装置は、メカニカルファスナーのフック材である長尺フック材の裏面と、前記長尺フック材よりも幅広の長尺基材シートとを長手方向を揃えて重ね合わせて得られた長尺シート積層体の前記長尺フック材の幅方向両端部および前記長尺フック材の幅方向両端部の間の少なくとも一部を押圧し、圧着する工程に使用されるパターンロールであって、筒状周面の両端部であって前記長尺フック材の幅方向両端部に対応する位置および軸方向中央付近であって前記長尺フック材の幅方向中央部に対応する位置に凸部が形成されているパターンロールを備えている。すなわち、このパターンロールは、筒状周面の両端部および軸方向中央付近に凸部が形成されている。なお、このパターンロールは軸方向中央で２分割可能に形成されているのが好ましい。
【００５４】
本発明の止着テープ製造装置は、図３および４に示すように、長尺基材シート７８の一方の面に、長尺基材シート７８の長手方向に沿って帯状の長尺フック材を載置して長尺シート積層体７１を形成するシート積層部１２２と、長尺シート積層体７１の長尺フック材７４の両側縁部７４ａを、長尺フック材７４の表面側から長尺基材シート７８側に向けて所定の幅で押圧する凸部９９が押圧面に形成された押圧手段９６（図３および４においては、パターンロール９８）を有するシート圧着部１２４と、を備え、図１および図２に示すように、筒状周面の両端部であって前記長尺フック材の幅方向両端部に対応する位置および軸方向中央付近であって前記長尺フック材の幅方向中央部に対応する位置に凸部が形成されており、軸方向中央で２分割可能に形成されているパターンロールを備えるように構成されている。このように２分割することで、長尺フック材の幅に合わせて、パターンロール９８の幅を調整することができ、長尺フック材に形成する押圧部位置の微調整や、幅の異なる長尺フック材に応じて、凸部９９の位置を調節することが可能となる。
【００５５】
なお、本発明の止着テープ製造装置の押圧手段としては、例えば、超音波溶着によって、上記凹部の形成を行うものであってもよい。例えば、図５に示す止着テープ製造装置９０ａは、押圧手段９５として超音波溶着用の超音波ホーン９６とパターンロール９８を有し、このパターンロール９８の押圧面に、深凹部に対応した高凸部と、浅凹部に対応した低凸部とが形成されている。図５においては、超音波ホーン９６として固定式のプレーンのものを図示したが、これに限られず、回転可能なプレーンとしても良い。
【００５６】
このような止着テープ製造装置を用いることによって、メカニカルファスナーのフック材が一方の端部付近に配設された帯状の止着テープであって、前記フック材の、前記帯状の基材の長手方向両端部および前記帯状の基材の長手方向両端部の間の少なくとも一部が前記帯状の基材に圧着されている止着テープを簡便且つ低コストに製造することができる。
【００５７】
［２−１］シート積層部：
シート積層部は、長尺基材シートの一方の面に、長尺基材シートの長手方向に沿って帯状の長尺フック材を載置して長尺シート積層体を形成するものであり、このようなシート積層部は、従来の止着テープ製造装置における、長尺基材シートに長尺フック材を載置するシート積層部と同様に構成されているものを用いることができる。例えば、図３及び図４に示すように、長尺基材シート７８を連続的に繰り出し可能な長尺基材シート供給ロール１１８と、長尺フック材７４を連続的に繰り出し可能な長尺フック材供給ロール１１４と、長尺基材シート７８の一方の面側に長尺フック材７４を案内して、長尺基材シート７８の一方の面側に長尺フック材７４を載置する支持ロール１１６とを有するものを挙げることができる。
【００５８】
また、本発明の止着テープ製造装置においては、長尺基材シートと、その表面に載置された長尺フック材とを接合するための接合手段を更に有していてもよい。このような接合手段としては、例えば、図３に示す止着テープ製造装置９０のように、長尺フック材７４の裏面に接着剤９２を塗布する接着剤塗布手段９４を挙げることができる。
【００５９】
また、本発明の止着テープ製造装置においては、例えば、圧着を行うシート圧着部にて、長尺基材シートと長尺フック材とを接合するように構成されたものであってもよいため、シート積層部においては、上述した接合手段を有するものとせず、単に長尺基材シートと長尺フック材とを重ね合わせて長尺シート積層体を形成するものであってもよい。
【００６０】
［２−２］シート圧着部：
シート圧着部は、一対のロール間に、上記した長尺シート積層体を通過させて、積層された各シートを圧着し、一対の圧着ロールのうちの一方のロール（パターンロール）に形成された凸部の配列パターンを、長尺フック材に刻設するものである。
【００６１】
具体的には、図３および図４に示すように、止着テープ製造装置９０は、長尺シート積層体７１の長尺フック材７４の両側縁部７４ａを、長尺フック材７４の表面側から長尺基材シート７８側に向けて所定の幅で押圧・圧着して凹部８０を形成するものである。このため、シート圧着部１２４は、形成する凹部８０の形状に対応した押圧用のロール（パターンロール９８）を有している。このパターンロール９８としては、上記した本発明の止着テープの製造方法にて説明した、図１および図２に示すような、上記凸部９９と、中央凹部８１（図２参照）の形成パターンに対応した中央凸部１０１とが形成されている。なお、図１における符号９７は、パターンロール９８を回転可能に支持するためのパターンロール支持体を示す。
【００６２】
また、このパターンロール９８の対となる圧着用のロールとしては、例えば、図３および図４に示すように、シート押圧部１２４は、長尺基材シート７８の裏面側を押圧するロールとして、長尺基材シート７８との接触面が平坦なプレーンロール１００を好適例として挙げることができる。
【００６３】
更に、図示は省略するが、シート圧着部は、凹部の形成とともに、長尺基材シートと長尺フック材とをヒートシールして接合することができるように、パターンロール等を加熱する加熱手段を更に有していてもよい。このように構成することによって、凹部の形成と同時に、長尺基材シートと長尺フック材とを圧着部によって接合することができる。
【００６４】
パターンロールの配列パターンや、それぞれの凸部の高さや幅については特に制限はなく、製造する止着テープにおける押圧部の繰り返しパターンの形状等に応じて適宜決定することができる。即ち、止着テープにおける押圧部の繰り返しパターンの反転形状がパターンロールの凸部の配列パターンとなる。
【００６５】
また、図５に示す止着テープ製造装置９０ａのように、押圧手段９５が、超音波溶着用の超音波ホーン９６とパターンロール９８とから構成される場合には、パターンロール９８として、押圧面に、目的とする止着テープの凹部の形状に対応した凸部が形成されたものを好適に用いることができる。なお、押圧面の凸部の形状については、形成する凹部の形状に応じて適宜選択することができる。なお、超音波ホーンは、電気エネルギーを機械的振動エネルギーに変換する振動子を有し、振動子にて変換された機械的振動エネルギーを、超音波ホーンの押圧面から被接合体（即ち、長尺フック材と長尺基材シート）の境界面に伝達させ、境界面に生じる摩擦熱によって被接合体を融着させることができる。本発明の止着テープ製造装置においては、被接合体が溶融した際に圧力を加え、パターンロール９８の押圧面の凸部の形状を、長尺フック材の両側縁部に刻設する。図５においては、超音波ホーン９６として固定式のプレーンのものを図示したが、これに限られず、回転可能なプレーンとしても良い。
【００６６】
なお、超音波ホーンにより超音波溶着の条件について特に制限はなく、従来公知の超音波溶着の条件（例えば、振動子の振幅、押圧圧力等）に準じて超音波溶着を行うことができる。
【００６７】
［２−３］止着テープ製造装置のその他の構成：
本発明の止着テープ製造装置９０は、例えば、シート圧着部１２４によって凹部８０を形成した後に、長尺シート積層体７１を、長尺シート積層体７１の長手方向に沿ってＳ字カーブを描くように切断するシート切断部１２６、及び、Ｓ字カーブ状に形成された側縁の谷部と直線状に形成された側縁との間を切り離すシート切離部１２８と、を更に備えたものであってもよい。
【００６８】
図３に示す止着テープ製造装置９０のシート切断部１２６は、長尺シート積層体７１をＳ字状に切断するカッター等の切断手段１３２、フック材８４が付設された部位と直線状に形成された側縁１０４との間においてフック材８４を内側とするように折り返す折り返し手段１３４、折り返したフック材８４を長尺基材シート７８の表面に仮止めする仮止め手段１３６とを有している。なお、仮止め手段１３６は、折り返したフック材８４の一部を長尺基材シート７８の表面側に押圧するための凹凸が少なくとも一方に形成された、一対の仮止め用ロール１３６ａ，１３６ｂを有している。
【００６９】
また、シート切離部１２８は、Ｓ字カーブ状に形成された側縁の谷部と直線状に形成された側縁との間を切り離すカッター等の切離手段１３８を有している。
【００７０】
［３］止着テープ：
本発明の製造方法により得られる止着テープは、図７〜図１０に示される止着テープ１０のように、おむつの前身頃２と後身頃６とを固定するために用いられ、基材４８と、この基材４８の表面に付設されたメカニカルファスナーのフック材４４とを備え、フック材４４のそれぞれの側縁部４４ａおよび中央部付近には、フック材４４の表面側から基材４８側に向けて所定の幅で押圧されて圧着された帯状の凹部８０（８１）が形成されている。
【００７１】
このような止着テープは、基材とフック材との接合部分に例えば、おむつの前身頃と後身頃とを固定するために用いた場合には、フック材が止着テープの基材に接合されている中央部付近における、フック材の止着テープ基材からの部分剥離が生じ難く、おむつの装着感を向上させることができる。
【００７２】
ここで、図７は、前記止着テープを用いたテープ型おむつの一の実施形態を示す一部切り欠き断面図であり、テープ型おむつを展開し、トップシート側から見た状態を示す図である。図８Ａは、前記止着テープを用いたテープ型おむつの一の実施形態を示す拡大図であり、図７に示すテープ型おむつの止着テープ部分を拡大して示す図である。図８Ｂは、他の止着テープのフック材が付設された部位を拡大した拡大図である。図９は、図８に示す止着テープをＡ−Ａ’線に沿って切断した断面を示す概略断面図である。
【００７３】
例えば、従来の止着テープのように、フック材の側縁部を均一な深さにヒートシールして基材に付設させたのみのものは、フック材が止着テープの基材に接合されている中央部付近における、フック材の止着テープ基材からの部分剥離が生じてしまうことがあり、止着テープの止着力が低下してしまう。また、このようなフック材は、基材から脱離し易くなってしまう。
【００７４】
止着テープ１０は、フック材の側縁部に加えて、フック材の両側縁部の中央部付近にも圧着された帯状の凹部が設けられていることから、フック材が止着テープの基材に接合されている中央部付近における、フック材の止着テープ基材からの部分剥離が生じ難くなっている。また、このように構成されているため、基材からフック材が脱離し難くなる。
【００７５】
フック材の圧着部の圧着態様は、図８Ａ、図８Ｂに示すように、フック材の両側縁部および両側縁部の中央部付近に設けられてさえいればいずれの態様であってもよい。例えば、図８Ａおよび図８Ｂの両側縁部のように押圧凹部が深い凹部と浅い凹部とから形成されていてもよく、図８Ａの両側縁部の中央部付近のように千鳥状に形成されていれもよく、また、図８Ｂの両側縁部の中央部付近のように一定の深さで一様に形成されていてもよい。さらに、図８Ａおよび図８Ｂの両側縁部のように押圧凹部を深い凹部と浅い凹部とから形成する場合には、図８Ａまたは図８Ｂのように深さを２段階にする場合に限らず、深さを多段階とすることができる。
【００７６】
基材の裏面のみを平面状にする場合には、基材とフック材とをヒートシールする際に、フック材の表面側を加熱押圧するシールヘッドとして、凹部の配置パターンに対応した凹凸を有するシールヘッドを用い、且つ、基材の裏面側を押圧するシールヘッドとして、ヘッドの表面が平坦な面（プレーン面）のものを用いればよい。
【００７７】
また、前記止着テープにおいては、この基材の裏面に、上記フック材に止着可能なループ材（以下、「裏面側ループ材」ということがある）が配置されていてもよい。
【００７８】
この裏面側ループ材は、フック材のヒートシールによる接合が終了した後に、別途、基材の裏面側に接合することが好ましい。例えば、上記裏面側ループ材は、ホットメルト接着剤等を用いて接合することができる。
【００７９】
このように構成することによって、例えば、図１１に示すように、後身頃６の左右の各側縁６ａ，６ｂに、前記止着テープ１０ｘ，１０ｙが２個ずつ配置されたテープ型おむつ１とした場合に、各側縁６ａ，６ｂにおける一方の止着テープ１０ｘをフロントパッチ１２に止着し、他方の止着テープ１０ｙを、フロントパッチ１２に止着した一方の止着テープ１０ｘの裏面の裏面側ループ材に対して止着させることもできる。
【００８０】
このような止着テープは、着用者の体型、具体的には、ウエスト周り、脚周りの寸法に合わせてテープ位置、締め付け具合を調節できるという点で優れている。
【００８１】
ここで、図１１に示すテープ型おむつ１は、後身頃６の左右の各側縁６ａ，６ｂに、前記止着テープ１０ｘ，１０ｙが２個ずつ配置されたものである。
【００８２】
例えば、基材の裏面や、上記した裏面側ループ材に、フック材のヒートシールによる押圧の凹凸が出現していると、一方の止着テープの裏面に他方の止着テープを止着させた場合に、上記凹凸によって十分な止着力が得られず、他方の止着テープが外れ易くなってしまうことがある。
【００８３】
なお、図１０に示すテープ型おむつ１は、止着テープ１０の基材４８にメカニカルファスナーのフック材４４が付設されている。一方、前身頃２には、メカニカルファスナーのループ材５２からなるフロントパッチ１２が配置されており、フック材４４を固定することが可能なように構成されている。
【００８４】
このような構成によって、おむつの後身頃６を前身頃２に対して固定することができ、おむつを着用者に装着させることが可能となる。図１１は、図１０に示すテープ型おむつ１の使用状態を示す図であり、止着テープ１０を用いて、テープ型おむつ１を着用者に装着させた状態を示すものである。
【００８５】
なお、このようなフック材は、基材に対してヒートシールによって接合するものであることから、その素材としては、例えば、ポリオレフィン（ポリエチレン、ポリプロピレン等）、ポリエステル、脂肪族ポリアミド（いわゆるナイロン）、その他の熱可塑性樹脂からなる合成繊維を用いることができる。特に、ポリエチレンやポリプロピレンを好適に用いることができる。
【００８６】
「基材」は、フック材を付設し、且つ止着テープ１０を後身頃６の左右の各側縁６ａ，６ｂに固定することによって、止着テープ１０の本体として機能するものである。
【００８７】
この基材の素材としては、スパンボンド、ＳＭＳ（スパンボンド／メルトブロー／スパンボンド）、ＳＭＭＳ（スパンボンド／メルトブロー／メルトブロー／スパンボンド）、カードエンボス、レジンボンド等の各種不織布からなるシート材を用いることができる。強度の面を考慮すると、スパンボンド不織布からなるシート材を用いることが好ましい。
【００８８】
不織布の構成材料としては、ポリオレフィン（ポリエチレン、ポリプロピレン等）、ポリエステル、脂肪族ポリアミド（いわゆるナイロン）、その他の熱可塑性樹脂からなる合成繊維を挙げることができる。この場合、合成繊維は単繊維であってもよいし、芯鞘構造等を有する複合繊維であってもよい。一般に、単繊維を使用する場合は、ポリオレフィンが多く用いられるが、強度の面を考慮するとポリエステルを用いることも好ましい。
【００８９】
また、基材の素材として、複数の不織布やフィルムを積層した積層体を用いることもできる。フィルムの積層体を用いる場合には、フック材を配置する面と反対側の面に、フック材と係合し易い不織布又はループ材（裏面側ループ材）を配置すると、図１１に示すように、一方の止着テープ１０ｘの裏面側に、他方の止着テープ１０ｙを止着させることができる。
【００９０】
［４］テープ型おむつ：
テープ型おむつは、その止着テープとして、既に説明した本発明の製造方法により得られる止着テープを備えるものである。より具体的には、吸収体と、吸収体の表面を被覆するように配置され、少なくとも一部が液透過性材料からなるトップシートと、吸収体の裏面を被覆するように配置され、液不透過性材料からなるバックシートとを備えるとともに、前身頃、股下部及び後身頃の各部から構成されており、後身頃の左右の各側縁から延出するように配置され、前身頃と後身頃とを固定するための止着テープを更に備え、その止着テープが、前記止着テープであるテープ型おむつである。
【００９１】
［４−１］止着テープ：
前記テープ型おむつは、その止着テープとして、既に説明した前記止着テープを備えるものであれば、他の構成について制限はない。但し、後身頃の左右の各側縁に、前記止着テープが２個ずつ配置されていることが好ましい。
【００９２】
例えば、図１０および図１１に示すテープ型おむつ１は、後身頃６の左右の各側縁６ａ，６ｂに、前記止着テープ１０が２個ずつ配置されたものである。このように、止着テープが２個ずつ配置されたテープ型おむつは、１個ずつ配置されたテープ型おむつと比較して、着用者の体型、具体的には、ウエスト周り、脚周りの寸法に合わせてテープ位置、締め付け具合を調節できるという点で優れている。
【００９３】
前記テープ型おむつは、前記止着テープが融着によっておむつ本体に接合されたものであることが好ましい。融着によって接合することで、接着剤を用いた接着等と比較して、強固な接合を図ることができ、おむつ本体から止着テープが脱落する事態を有効に防止することができる。例えば、図１に示すテープ型おむつ１は、おむつ本体の後身頃６の側縁６ａ，６ｂ、より具体的にはサイドシート１８ｂによって構成されるサイドフラップ８の両側縁に、超音波融着によって前記止着テープ１０を接合した例である。
【００９４】
［４−２］吸収体：
吸収体は、着用者の尿を吸収し、保持するための部材である。吸収体は、着用者の尿や体液を吸収し保持する必要から、吸収性材料によって構成される。
【００９５】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００９６】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００９７】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は、トップシートとバックシートの間の少なくとも一部に介装される。より具体的には、吸収体は少なくとも股下部に介装され、この吸収体が前身頃や後身頃にまで及んでいてもよい。
【００９８】
吸収体は、その全体が親水性シートによって包み込まれていることが好ましい。このような構成は、吸収体からＳＡＰが漏洩することを防止し、吸収体に形状安定性を付与することができるという利点がある。
【００９９】
吸収体の形状については特に制限はないが、従来の使い捨ておむつ、その他の吸収性物品において使用される形状、例えば、矩形状、砂時計型、ひょうたん型、Ｔ字型等を挙げることができる。図１０に示すテープ型おむつ１は、吸収体２２として、砂時計型の吸収体を用いた例である。
【０１００】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【０１０１】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【０１０２】
［４−３］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【０１０３】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【０１０４】
トップシートは単一のシート材によって構成されていてもよいが、複数のシート材によって構成されていてもよい。例えば、吸収体の表面部に配置されるトップシートと、サイドフラップの部分に配置されるトップシートとを異なるシートによって構成する形態もよく利用される。図１０に示すテープ型おむつ１は、おむつの中央部には液透過性材料からなるトップシート１８（センターシート１８ａ）を配置し、おむつのサイドフラップ８部分には液の透過に対して抵抗性を示す通気撥水性材料からなるトップシート１８（サイドシート１８ｂ）を配置した例である。
【０１０５】
［４−４］バックシート：
バックシートは、吸収体の裏面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【０１０６】
その配置方法については特に制限はないが、例えば、図１０に示すテープ型おむつ１のように、おむつの外形と一致するように、バックシート２０を配置する構成を採用することができる。但し、必ずしもこのような構成を採用する必要はなく、吸収体で吸収された尿の漏れを防止するという観点から、少なくとも吸収体の存在する部分に液不透過性材料からなるバックシートを配置してもよい。
【０１０７】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【０１０８】
なお、バックシートには、その外表面側にシート材（カバーシート）を貼り合わせてもよい。このカバーシートは、バックシートを補強し、バックシートの手触り（触感）を良好なものとするために用いられる。
【０１０９】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【０１１０】
［４−５］立体ギャザー：
着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【０１１１】
立体ギャザーの構成は、従来の使い捨ておむつ、その他の吸収性物品に使用される構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【０１１２】
なお、立体ギャザーは、トップシートやバックシートとは全く別個のシート材により形成してもよいが、センターシートやサイドシート等のトップシートを折り返すことにより形成してもよい。例えば、図１０に示すテープ型おむつ１は、サイドシート１８ｂを折り返すことにより立体ギャザー２６（２６ａ，２６ｂ）を形成した例である。但し、立体ギャザーは、セカンドシート等のトップシート以外の部材を折り返すことにより形成してもよい。
【０１１３】
この立体ギャザーは、股下部からの漏れを防止するため、少なくとも股下部に形成されていればよいが、前身頃や後身頃に形成されていてもよい。例えば、図１０に示すテープ型おむつ１は、おむつの長手方向に沿って、股下部４から前身頃２と後身頃６の双方にかけて連続的に、一対の立体ギャザー２６（２６ａ，２６ｂ）が形成された例を示すものである。また、立体ギャザーは、少なくとも一対形成する必要があるが、二対以上形成してもよい。
【０１１４】
立体ギャザーはおむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。例えば、図１に示すテープ型おむつ１は、立体ギャザー２６（２６ａ，２６ｂ）を内倒しギャザーとした例である。
【０１１５】
［４−６］各種伸縮材：
テープ型おむつにおいては、脚周り伸縮材を配置し、ウエスト周り伸縮材を配置することが好ましい。
【０１１６】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿や体液がその凹部に溜まり、尿や体液をこぼすことなく、容易におむつの交換を行うことができる。
【０１１７】
例えば、図１０に示すテープ型おむつ１は、おむつの長手方向に沿って、直線的に二本の脚周り伸縮材４０を配置してレグギャザーを形成した例である。この脚周り伸縮材４０は、糸ゴムによって構成されている。但し、脚周り伸縮材は、必ずしも直線的に配置する必要はなく、例えば、おむつの脚周り開口部のカーブに沿って曲線的に配置してもよい。
【０１１８】
脚周り伸縮材は、例えば、図１０に示すテープ型おむつ１のように、立体ギャザー２６の起立線４６より外側の部分に、脚周り伸縮材４０が形成されていることが好ましい。このような構成とすると、立体ギャザーの十分な防漏効果を確保しつつ、股下部の装用感・装着感を向上させることができる。
【０１１９】
なお、図１０に示すテープ型おむつ１は、脚周り伸縮材４０の形状、配置位置、配置数等を左右対称とした例を示したが、これらが左右非対称なものであってもよい。そして、図１０に示すテープ型おむつ１では、脚周り伸縮材４０が片側につき二本配置された例を示したが、一本だけ配置されていてもよいし、三本以上配置されていてもよい。また、複数の脚周り伸縮材を用いる場合、その太さや伸張率等も目的に応じて適宜設定すればよく、全て同じものを用いる必要はない。
【０１２０】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【０１２１】
なお、図１０に示すテープ型おむつ１は、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【０１２２】
なお、例えば、図１０に示すテープ型おむつ１のように、後身頃６の左右の各側縁６ａ，６ｂに、止着テープ１０をそれぞれ２個ずつ配置した場合には、後身頃６の端縁に沿ってウエスト周り伸縮材４２が付設されるとともに、少なくとも股下部４の両側縁に沿って脚周り伸縮材４０を付設することが好ましい。
【０１２３】
前記のような構成により、２個の止着テープ１０のうち上側に配置された止着テープ１０とウエスト周り伸縮材４２が一体となって、着用者のウエスト周りにおけるおむつのフィット性を向上させることができる。また、２個の止着テープ１０のうち下側に配置された止着テープ１０と脚周り伸縮材４０が一体となって、着用者の脚周りにおけるおむつのフィット性を向上させることができる。この効果は、上側に配置された止着テープ１０を前身頃２の端縁と略同一方向に止め付け、下側に配置された止着テープ１０を前身頃２の端縁側（おむつ上側）に向かって引き上げるように止め付けた場合に特に大きくなる。
【０１２４】
これらの伸縮材については、ギャザーの収縮の程度等を勘案した上で、構成材料、その材料の伸長率、固定時の伸長状態等を決定すればよい。
【０１２５】
伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【０１２６】
伸縮材は、十分な伸縮力を作用させるため、伸長状態で固定することが好ましい。例えば、伸縮材が天然ゴムや合成ゴムである場合には、１１０〜４００％の伸長状態で固定することが好ましく、２００〜３００％の伸長状態で固定することがより好ましい。このような範囲の伸長状態で固定することにより、十分な伸縮力を作用させることが可能となる。
【０１２７】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【０１２８】
［５］テープ型おむつの製造方法：
以下、テープ型おむつの製造方法を、図１０に示すテープ型おむつ１を製造する場合の例で説明する。まず、バックシート２０の材料となる長尺のシート材（バックシート材）の表面に、親水性シートに包まれた吸収体２２及び脚周り伸縮材４０を載置し、更にその表面にトップシート１８の材料となる長尺のシート材（トップシート材）を載置することにより、おむつの中間体となる積層体（おむつ連続体）を得る。この際、トップシート材は、センターシート１８ａに相当するトップシート材と、サイドシート１８ｂに相当するトップシート材の２種類が使用される。サイドシート１８ｂに相当するシート材には折り返し部分を設けることによって、立体ギャザー２６が形成されている。
【０１２９】
前記のようにして得られたおむつ連続体は、おむつの脚周り開口部に相当する部分を円弧状に切り抜いて切除し（Ｒカット）、脚周り開口部を形成する。最後に、おむつの後身頃６の側縁６ａ，６ｂに、本発明の製造方法で得られた止着テープ１０を付設し、おむつ連続体を個々のおむつに切断することにより、テープ型おむつ１を製造する。この際、後身頃６の左右の各側縁部と止着テープ１０の末端部とはヒートシール等の融着によって接合することが好ましい。
【０１３０】
なお、上記のような方法の他、予めトップシート材に止着テープを付設しておき、バックシート材の表面に、親水性シートに包まれた吸収体及び脚周り伸縮材を載置し、更にその表面に止着テープが付設されたトップシート材を載置することにより、おむつ連続体を得てもよい。また、前記のような一連の工程は、機械的な手段によって連続的に行うことが可能である。例えば、長尺のシート材をローラーから連続的に送出する等の方法・装置を採用することにより、テープ型おむつの連続製造が可能となり、生産性の向上に資する。
【産業上の利用可能性】
【０１３１】
本発明の製造方法で得られた止着テープは、おむつの前身頃と後身頃とを固定するための止着テープとして好適に利用することができる。また、本発明の製造方法で得られた止着テープを利用したテープ型おむつは、乳幼児用、或いは介護を必要とする高齢者や障害者等の成人用のおむつとして好適に利用することができる。
【図面の簡単な説明】
【０１３２】
【図１】押圧部の形成に用いられるパターンロールの構成を模式的に示す平面図である。
【図２】図１に示すパターンロールのＣに示す部分を拡大して示す一部平面図である。
【図３】本発明の止着テープ製造装置の一の実施形態の構成を模式的に示す説明図である。
【図４】図３に示す止着テープ製造装置のＢに示す部分を拡大して示す一部概略斜視図である。
【図５】本発明の止着テープ製造装置の他の実施形態の構成を模式的に示す説明図である。
【図６】本発明の止着テープの製造方法の一の実施形態における、止着テープ切離工程を説明する平面図である。
【図７】本発明の止着テープを用いたテープ型おむつの一の実施形態を示す拡大図であり、図１０に示すテープ型おむつの止着テープ部分を拡大して示す図である。
【図８Ａ】図７示す止着テープのフック材が付設された部位を更に拡大した拡大図である。
【図８Ｂ】本発明の他の止着テープのフック材が付設された部位を拡大した拡大図である。
【図９】図８に示す止着テープをＡ−Ａ’線に沿って切断した断面を示す概略断面図である。
【図１０】本発明の止着テープを用いたテープ型おむつの一の実施形態を示す一部切り欠き断面図であり、テープ型おむつを展開し、トップシート側から見た状態を示す図である。
【図１１】本発明の止着テープを用いたテープ型おむつを使用した状態を示す斜視図である。
【図１２】従来のテープ型おむつの一の実施形態を示す一部切り欠き断面図であり、従来のテープ型おむつを展開し、トップシート側から見た状態を示す図である。
【図１３】図１２示す止着テープのフック材が付設された部位を更に拡大した拡大図である。
【符号の説明】
【０１３３】
１，１５０：テープ型おむつ、２：前身頃、４：股下部、６：後身頃、６ａ，６ｂ：側縁、８：サイドフラップ、１０，１０ｘ，１０ｙ：止着テープ、１２：フロントパッチ、１８：トップシート、１８ａ：センターシート、１９：サイドシート、２０：バックシート、２２：吸収体、２６，２６ａ，２６ｂ：立体ギャザー、３６，３６ａ，３６ｂ：立体ギャザー伸縮材、４０：脚周り伸縮材、４２：ウエスト周り伸縮材、４４：フック材、４４ａ：端部（フック材の端部）、４６：起立線、４８：基材、５２：ループ材、７１：長尺シート積層体、７２：止着テープ中間体、７４：長尺フック材、７４ａ：側縁部（長尺フック材の側縁部）、７８：長尺基材シート、８０：凹部、８１：凹部（中央凹部）、８４：フック材、８６：仮止め部、９０，９０ａ：止着テープ製造装置、９２：接着剤、９４：接着剤塗布手段、９５：押圧手段、９６：超音波ホーン、９７：パターンロール支持体、９８：パターンロール、９９：凸部、９９ａ：高凸部、９９ｂ：低凸部、１００：プレーンロール、１０１：中央凸部、１０２：谷部、１０４：側縁、１０６：仮止め用接着剤、１１４：長尺フック材供給ロール、１１６：支持ロール、１１８：長尺基材シート供給ロール、１２２：シート積層部、１２４：シート圧着部、１２６：シート切断部、１２８：シート切離部、１３２：切断手段、１３４：折り返し手段、１３６：仮止め手段、１３６ａ：仮止め用ロール、１３６ｂ：１４０：止着テープ、１４４：フック材、１４４ａ：端部（フック材の端部）、１４８：基材。
【図１】
0004982424.tif 000002
【図２】
0004982424.tif 000003
【図３】
0004982424.tif 000004
【図４】
0004982424.tif 000005
【図５】
0004982424.tif 000006
【図６】
0004982424.tif 000007
【図７】
0004982424.tif 000008
【図８Ａ】
0004982424.tif 000009
【図８Ｂ】
0004982424.tif 000010
【図９】
0004982424.tif 000011
【図１０】
0004982424.tif 000012
【図１１】
0004982424.tif 000013
【図１２】
0004982424.tif 000014
【図１３】
0004982424.tif 000015